(57)【要約】      （修正有）【課題】化粧用パウダーを消費した場合も、新しい化粧用パウダーをすぐにパフ本体の内部に充填可能な、パフの長寿命化を図る化粧用パフを提供する。【解決手段】蓋部９を回動させ開口１０を開くと、板状スポンジ７が露出する。板状スポンジ７には、開口１０と対面する位置に板状スポンジ７を上下に貫通してなる化粧用パウダー充填穴１１と、当該化粧用パウダー充填穴１１に嵌め込まれてなるスポンジ栓１２が設けられている。従って使用者は、開口１０を開けば即座にスポンジ栓１２を化粧用パウダー充填穴１１から抜き取ることができる。その後、交換用の新しい化粧用パウダーを、化粧用パウダー充填穴１１に化粧用パウダーを注入することで化粧用パウダーを充填することができる。化粧用パウダーを充填した後、スポンジ栓１２を化粧用パウダー充填穴１１に嵌め込み、開口１０を蓋部９で閉塞し、化粧用パウダー６を塗布布帛４と板状スポンジ７との間に保持することで、充填作業を完了させる。【選択図】図２
0003190367.tif 000002
【実用新案登録請求の範囲】
【請求項１】
網目構造の密な持ち手布帛と網目構造の粗い塗布布帛とを上下に重ね、互いの外縁部を縫い合わせて袋状に形成してなるパフ本体と、
前記パフ本体の内部に収納された板状スポンジと、
前記塗布布帛と前記板状スポンジとの間に保持されてなる化粧用パウダーと、
前記持ち手布帛の表面中央部には、パフ本体の内部へ導通する開口、及び該開口を閉塞可能な蓋部が設けられ、
前記板状スポンジには、前記開口と対面する位置に前記板状スポンジを上下に貫通してなる化粧用パウダー充填穴と、該化粧用パウダー充填穴に嵌め込まれてなるスポンジ栓が設けられる
ことを特徴とする化粧用パフ。
【請求項２】
前記蓋部の上面を覆い、持ち手布帛の上面において開口部を形成してなるポケットと、
前記ポケットの開口部の下面、及び前記蓋部の上面に取り付けられて互いに着脱可能な一対の面ファスナーとを備える
ことを特徴とする請求項１に記載の化粧用パフ。 
【考案の詳細な説明】
【技術分野】
【０００１】
本考案は、肌の表面に化粧用パウダーを塗布するために使用される化粧用パフに関する。
【背景技術】
【０００２】
従来において、肌の表面に化粧用パウダーを塗布するために使用される化粧用パフとして、化粧用パウダーがパフ内にあらかじめ内包されてなる化粧用パウダー内蔵型パフが考案されていた。
【０００３】
従来技術に係る化粧用パウダー内蔵型パフは、化粧用パウダーを収容するパウダー収容容器を別途用意する必要がないため嵩張らず、持ち運びに便利であるという利点があった。
【先行技術文献】
【特許文献】
【０００４】
【特許文献１】実開平２−１０１４号公報
【考案の概要】
【考案が解決しようとする課題】
【０００５】
しかし、前記従来技術に係る化粧用パウダー内蔵型パフは、内部に収納された化粧用パウダーを使い切れば廃棄せざるを得ず、経済的でないという問題があった。
【課題を解決するための手段】
【０００６】
そこで、上記課題を解決するための手段として本考案に係る化粧用パフは、網目構造の密な持ち手布帛と網目構造の粗い塗布布帛とを上下に重ね、互いの外縁部を縫い合わせて袋状に形成してなるパフ本体と、前記パフ本体の内部に収納された板状スポンジと、前記塗布布帛と前記板状スポンジとの間に保持されてなる化粧用パウダーと、前記持ち手布帛の表面中央部には、パフ本体の内部へ導通する開口、及び該開口を閉塞可能な蓋部が設けられ、前記板状スポンジには、前記開口と対面する位置に前記板状スポンジを上下に貫通してなる化粧用パウダー充填穴と、該化粧用パウダー充填穴に嵌め込まれてなるスポンジ栓が設けられることを特徴とする。
【０００７】
持ち手布帛は、本考案に係る化粧用パフを使用する際に、持ち手部として機能し、対面して縫い合わされた塗布布帛を肌に押し付ける作業を容易に行うことができる。また持ち手布帛は、化粧用パウダーを透過させにくい小さな網目構造が密に形成された布帛であるため、化粧用パウダーを塗布するために塗布布帛を肌に押し付けた際にも、持ち手布帛を通して化粧用パウダーが透過して手に付着することを防止する。
【０００８】
塗布布帛は、化粧用パウダーを塗布する際に肌に直接押し付けられる部材であり、肌に押し付けた際の衝撃で化粧用パウダーを透過して排出できる程度の目の粗い網目構造に形成されている。また、塗布布帛の外表面には、起毛が形成されていても好ましい。塗布布帛を透過してきた化粧用パウダーを一端起毛に付着させてから肌の表面に塗布することで均一な塗布を行うことができるからである。
【０００９】
持ち手布帛、及び塗布布帛は、織物、若しくは不織布等からなることが好ましい。また持ち手布帛、及び塗布布帛の構造は、メリヤス織構造、若しくは不織布に対して微小な穴を設けた構造としても好ましい。素材は綿、及び樹脂等から選択して用いることができる。また、持ち手布帛、及び塗布布帛は、水洗いすることができる素材からなるものであることが好ましい。
【００１０】
パフ本体は、持ち手布帛及び塗布布帛を上下に重ね合わせた状態で、互いの外縁部を縫い合わせて袋状に形成してなる。パフ本体は、円盤状に形成されてなることが好ましい。
【００１１】
パフ本体は、内部に収納した板状スポンジの弾性によって塗布布帛を肌に押し当てた際の肌への押圧力を均一化させることができるため、複数回の押し当て動作による塗布作業によっても化粧用パウダーを肌にムラなく塗布させることができる。板状スポンジは、樹脂からなる多孔質体、若しくは綿等からなる弾性体を用いることができる。板状スポンジは水洗いすることができる素材からなるものであることが好ましい。
【００１２】
また、板状スポンジはパフ本体を厚みのある立体的形状に保持することができる。そのため、パフ本体を手に持つ際に、側面に指を添えて安定に保持することができる。
【００１３】
化粧用パウダーは前記塗布布帛と前記スポンジとの間に保持されており、使用者が塗布布帛を肌に押し当てた衝撃で塗布布帛を透過して外部に排出される。塗布布帛から排出された化粧用パウダーは、肌の表面に塗布される。
【００１４】
前記持ち手布帛の表面中央部には蓋部が設けられており、該蓋部を開くと開口が現れ、パフ本体内部に収納されている板状スポンジが露出する。化粧用パフを使用する際には開口を閉塞させておくことで板状スポンジが露出させることがなく、板状スポンジを汚すことがない。前記蓋部は、例えば持ち手布帛にコの字型の切込みを形成することによって、一端が持ち手布帛と連続してなる舌片状に形成されることが好ましい。前記舌片状の蓋部であれば、持ち手布帛と連続する一端を基軸として蓋部を上下に回動し、開口を即座に開閉することができる。また、前記舌片状に形成された蓋部は、持ち手布帛に円弧型の切込み、若しくは多角形の一部を形成する形に切込みを形成して構成しても良い。
【００１５】
板状スポンジに設けられた化粧用パウダー充填穴には、スポンジ栓が嵌め込まれている。化粧用パウダー充填穴は、前記持ち手布帛に形成された開口と対面する位置に形成されており、使用者は前記持ち手布帛の開口を開くと即座にスポンジ栓を化粧用パウダー充填穴から抜き取ることができる。使用者は、化粧用パウダー充填穴から板状スポンジと塗布布帛との間に化粧用パウダーを注入することで、少なくなった化粧用パウダーを充填することができる。化粧用パウダーを充填した後、スポンジ栓を化粧用パウダー充填穴に嵌め込み、開口を蓋部で閉塞することで化粧用パウダーの充填作業を完了させることができる。
【００１６】
また、本考案に係る化粧用パフは、前記蓋部の上面を覆い、持ち手布帛の上面において開口部を形成してなるポケットと、前記ポケットの開口部の下面、及び前記蓋部の上面に取り付けられて互いに着脱可能な一対の面ファスナーとを備えることを特徴としても好ましい。
【００１７】
前記面ファスナーを閉じることで、蓋部が不意に開いてしまう動作を防止することができるからである。蓋部が勝手に開くと、板状スポンジの外周を回り込んできている少量の化粧用パウダーが外部に漏出する恐れがあるからである。
【考案の効果】
【００１８】
本考案によれば、化粧用パウダーを消費した場合であっても、新しい化粧用パウダーをすぐにパフ本体の内部に充填することができ、化粧用パフの長寿命化を図ることができる。
【図面の簡単な説明】
【００１９】
【図１】化粧用パフ１を上方から見た平面図である。
【図２】化粧用パフ１のＡ−Ａ断面図である。
【図３】化粧用パフ１のＢ−Ｂ断面図である。
【図４】化粧用パフ１のＡ−Ａ断面において、新しい化粧用パウダー６ｂを充填する様子を示す概略図である。
【図５】他の実施の形態におけるポケット１３を備えた化粧用パフを上方から見た平面図である。
【図６】ポケット１３を備えた化粧用パフのＣ−Ｃ断面図である。
【考案を実施するための形態】
【００２０】
以下、本考案に係る実施の形態を、図を参照しながら詳しく説明する。
【００２１】
図１〜３に示すように、化粧用パフ１は、袋状に形成されたパフ本体２が円盤状の外形を形成してなる。パフ本体２の上半部は、網目構造が密に形成された持ち手布帛３によって構成され、パフ本体２の下半部は、網目構造が粗く形成された塗布布帛４によって構成されてなる。持ち手布帛３及び塗布布帛４は、パフ本体２の内部に空洞を形成するように周側部分において互いに縫着されてなる。また、パフ本体２の上面中央部を横断して、図３に示すように両端をパフ本体２の周側部分において縫着されてなる帯５が設けられている。帯５は柔らかく薄い不織布からなり、図１〜３において二点鎖線であらわされている。
【００２２】
パフ本体２の内部には、円形板状の板状スポンジ７が収納されている。板状スポンジ７と塗布布帛４との間の空間には化粧用パウダー６が保持されており、化粧用パウダー６は塗布布帛４の内面と接している。
【００２３】
使用者は、持ち手布帛３と帯５との間に指を挿しいれて化粧用パフ１を持ち上げることができ、持ち上げた化粧用パフ１の塗布布帛４の下面を顔の表面などに軽く押し当てて使用する。塗布布帛４が顔の表面などに押し当てられると、押し当てられた衝撃で化粧用パウダー６が塗布布帛４の網目構造の隙間を透過して外部に排出される。塗布布帛４から排出された化粧用パウダー６は、肌の表面に塗布される。
【００２４】
パフ本体２の内部に収納された板状スポンジ７は、塗布布帛４を肌の表面に押し当てた際の肌への押圧力をその弾性によって肌表面に対して均一化させる機能を有する。これにより、複数回の押し当て動作による塗布作業を行っても化粧用パウダーを肌の表面にムラなく塗布させることができる。
【００２５】
持ち手布帛３の表面中央部には、図１に示すようにコの字型の切込みを形成することによって、一端８が持ち手布帛３と連続してなる舌片状に形成された蓋部９が形成されてなる。前記コの字型の切込みは、持ち手布帛３を貫通しており、一端８を基軸として蓋部９を上方に回動させて開くと開口１０が現れる。
【００２６】
図４は、化粧用パフ１のＡ−Ａ断面において、化粧用パウダー６を充填する様子を示す概略図である。
【００２７】
一端８を基軸として蓋部９を回動させ開口１０を開くと、板状スポンジ７が露出する。板状スポンジ７には、開口１０と対面する位置に板状スポンジ７を上下に貫通してなる化粧用パウダー充填穴１１と、当該化粧用パウダー充填穴１１に嵌め込まれてなるスポンジ栓１２が設けられている。従って使用者は、開口１０を開けば即座にスポンジ栓１２を化粧用パウダー充填穴１１から抜き取ることができる。
【００２８】
その後使用者は、例えば交換用の新しい化粧用パウダー６ｂをスプーンＣにすくい取り、化粧用パウダー充填穴１１に化粧用パウダー６ｂを注入することで消費された化粧用パウダー６ａを充填することができる。化粧用パウダー６ｂを充填した後、スポンジ栓１２を化粧用パウダー充填穴１１に嵌め込み、開口１０を蓋部９で閉塞し、化粧用パウダー６を塗布布帛４と板状スポンジ７との間に保持することで、充填作業を完了させることができる。
【００２９】
また、他の実施の形態に係る化粧用パフ１は、図５及び図６に示すように蓋部９の上面を覆い、持ち手布帛３の上面の中央部を横断するように開口部１４を形成してなる半円状のポケット１３が設けられてなる。なお、図５及び図６における符号１〜１２に係る部分の名称及び機能は先の実施の形態における各部分の名称及び機能と同じである。ポケット１３の外周縁部は、パフ本体２の周側部分において、持ち手布帛３及び塗布布帛４に挟まれて縫着されている。ポケット１３の開口部１４の下面、及び蓋部９の上面に取り付けられて互いに着脱可能な一対の面ファスナー１５，１５とを備える。
【００３０】
図６に示すように、前記面ファスナー１５，１５を閉じることで、蓋部９が不意に開いてしまう動作を防止することができるからである。蓋部９が勝手に開くと、板状スポンジ７の外周を回り込んできている少量の化粧用パウダー６が外部に漏出する恐れがあるからである。
【００３１】
使用者は、ポケット１３の上面と帯５との間に指を挿しいれて化粧用パフ１を持ち上げることができ、持ち上げた化粧用パフ１の塗布布帛４の下面を顔の表面などに軽く押し当てて使用する。塗布布帛４が顔の表面などに押し当てられると、押し当てられた衝撃で化粧用パウダー６が塗布布帛４の網目構造の隙間を透過して外部に排出される。塗布布帛４から排出された化粧用パウダー６は、肌の表面に塗布される。
【００３２】
また使用者は、当該他の実施の形態において化粧用パウダーの充填作業を行うために、まず面ファスナー１５，１５を離脱させてポケット１３の開口部１４を開く。次に、一端８を基軸として蓋部９を回動させ開口１０を開き、スポンジ栓１２を化粧用パウダー充填穴１１から抜き取ることができる。
【００３３】
その後使用者は、交換用の新しい化粧用パウダーを、前記と同じくスプーン等を用いて化粧用パウダー充填穴１１に注入することで消費された化粧用パウダーを充填することができる。化粧用パウダーを充填した後、スポンジ栓１２を化粧用パウダー充填穴１１に嵌め込み、開口１０を蓋部９で閉塞し、化粧用パウダー６を塗布布帛４と板状スポンジ７との間に保持することで、充填作業を完了させることができる。
【符号の説明】
【００３４】
１    化粧用パフ
２    パフ本体
３    持ち手布帛
４    塗布布帛
５    帯
６    化粧用パウダー
７    板状スポンジ
８    一端
９    蓋部
１０  開口
１１  化粧用パウダー充填穴
１２  スポンジ栓
１３  ポケット
【図１】
0003190367.tif 000003
【図２】
0003190367.tif 000004
【図３】
0003190367.tif 000005
【図４】
0003190367.tif 000006
【図５】
0003190367.tif 000007
【図６】
0003190367.tif 000008